(57)【要約】【課題】洗剤洗浄を行った後で局部すすぎを忘れずに行うことができる局部洗浄装置を提供する。【解決手段】洗剤等の洗浄液を保存するための洗浄液保持部６と、給水口から局部へ洗浄水を噴出するための洗浄ノズル５へ至る給水経路Ｌ１の途中に配設されて前記洗浄液保持部６から洗浄液を注入する洗浄液混合部１０とを有し、洗浄水のみで局部のすすぎを行う局部すすぎ及び、洗浄水と洗浄液とを洗浄液混合部で混合して生成した洗剤洗浄水で行う洗剤洗浄が可能な局部洗浄装置である。洗剤洗浄を行っている間に局部すすぎを行うように促す報知手段を備えた。【選択図】　　　　図１
2004084303.tif 000002
【特許請求の範囲】
【請求項１】
洗剤等の洗浄液を保存するための洗浄液保持部と、給水口から局部へ洗浄水を噴出するための洗浄ノズルへ至る給水経路の途中に配設されて前記洗浄液保持部から洗浄液を注入する洗浄液混合部とを有し、洗浄水のみで局部のすすぎを行う局部すすぎ及び、洗浄水と洗浄液とを洗浄液混合部で混合して生成した洗剤洗浄水で行う洗剤洗浄が可能な局部洗浄装置において、洗剤洗浄を行っている間に局部すすぎを行うように促す報知手段を備えて成ることを特徴とする局部洗浄装置。
【請求項２】
洗剤等の洗浄液を保存するための洗浄液保持部と、給水口から局部へ洗浄水を噴出するための洗浄ノズルへ至る給水経路の途中に配設されて前記洗浄液保持部から洗浄液を注入する洗浄液混合部とを有し、洗浄水のみで局部のすすぎを行う局部すすぎ及び、洗浄水と洗浄液とを洗浄液混合部で混合して生成した洗剤洗浄水で行う洗剤洗浄が可能な局部洗浄装置において、洗剤洗浄をした際に、洗剤洗浄を停止した時に局部すすぎを促す報知手段を備えて成ることを特徴とする局部洗浄装置。
【請求項３】
洗剤等の洗浄液を保存するための洗浄液保持部と、給水口から局部へ洗浄水を噴出するための洗浄ノズルへ至る給水経路の途中に配設されて前記洗浄液保持部から洗浄液を注入する洗浄液混合部とを有し、洗浄水のみで局部のすすぎを行う局部すすぎ及び、洗浄水と洗浄液とを洗浄液混合部で混合して生成した洗剤洗浄水で行う洗剤洗浄が可能な局部洗浄装置において、洗剤洗浄をした際に、局部すすぎ以外の動作に移行した場合に局部すすぎを促す報知手段を備えて成ることを特徴とする局部洗浄装置。
【請求項４】
洗剤等の洗浄液を保存するための洗浄液保持部と、給水口から局部へ洗浄水を噴出するための洗浄ノズルへ至る給水経路の途中に配設されて前記洗浄液保持部から洗浄液を注入する洗浄液混合部とを有し、便座に着座センサーを設け、洗浄水のみで局部のすすぎを行う局部すすぎ及び、洗浄水と洗浄液とを洗浄液混合部で混合して生成した洗剤洗浄水で行う洗剤洗浄が可能な局部洗浄装置において、洗剤洗浄をした際に、該洗剤洗浄を停止すると共に、局部すすぎに移行せず且つ着座センサーにより着座者の離座を検知した場合に局部すすぎを促す報知手段を備えて成ることを特徴とする局部洗浄装置。
【請求項５】
洗剤等の洗浄液を保存するための洗浄液保持部と、給水口から局部へ洗浄水を噴出するための洗浄ノズルへ至る給水経路の途中に配設されて前記洗浄液保持部から洗浄液を注入する洗浄液混合部とを有し、洗浄水のみで局部のすすぎを行う局部すすぎ及び、洗浄水と洗浄液とを洗浄液混合部で混合して生成した洗剤洗浄水で行う洗剤洗浄が可能な局部洗浄装置において、洗剤洗浄をした際に、該洗剤洗浄を停止した後一定時間を過ぎても局部すすぎが行われなかった時に局部すすぎを促す報知手段を備えて成ることを特徴とする局部洗浄装置。
【請求項６】
洗剤洗浄をした後に局部すすぎを行った際、局部すすぎが一定時間行われる前に停止されると更なる局部すすぎを促す報知手段を備えて成ることを特徴とする請求項１乃至５のいずれかに記載の局部洗浄装置。
【発明の詳細な説明】
【０００１】
【発明の属する技術分野】
本発明は、人体局部を洗浄するための局部洗浄装置に関するものである。
【０００２】
【従来の技術】
局部洗浄装置は、図１６に示すように、局部洗浄機構を有する局部洗浄装置本体Ａと、使用者が洗浄方法等を選択操作するための操作部Ｂと、操作部からの信号に応じて便座温度や洗浄水温度や洗浄流量等を制御するための制御部（図示せず）と、使用者が座るための便座Ｃとで構成され、温水タンクと洗浄ノズルとを備えた局部洗浄装置本体Ａは、操作部Ｂからの指示に基づいて、温水タンク内の温水を洗浄ノズルから局部に向けて噴射して局部の洗浄を行う。
【０００３】
このような局部洗浄装置において、局部洗浄をより衛生的に行うために、洗浄用の温水に洗浄液を混合して洗浄ノズルから噴射するようにしたものが提供されている。
【０００４】
図１は洗浄液を用いた洗浄も行うことができる局部洗浄装置の本体Ａの一例を示しており、水道等の水源１と洗浄ノズル５とをつなぐ給水経路Ｌ１中に、温水タンク３と水ポンプ４と洗浄液混合部１０とを配設してあり、温水タンク３と水源１との間に給水弁２を配置してある。また、洗浄液保持部６と上記洗浄液混合部１０とをつなぐ洗浄液経路Ｌ２を形成し、この洗浄液経路Ｌ２中に逆流防止弁８と洗浄液供給手段７とを配設してある。そして更に、給水経路Ｌ１における洗浄液混合部１０と洗浄ノズル５との間から分岐して洗浄液経路Ｌ２の洗浄液供給手段７と逆流防止弁８との間に接続されるすすぎ経路Ｌ３を設け、該すすぎ経路Ｌ３中にすすぎ弁１１を設けてある。
【０００５】
このような局部洗浄装置の基本的な動作について説明する。
【０００６】
まず、水又は温水のみによって局部を洗浄する（局部すすぎという）場合には、温水タンク３に貯えられた温水が給水経路Ｌ１を介してそのまま人体局部に噴出される。
【０００７】
次に、洗浄液が混合された洗浄水にて局部を洗浄する（洗剤洗浄という）場合には、温水タンク３に貯えられた温水が給水経路Ｌ１を通って洗浄ノズル５に向かうと共に、洗浄液供給手段７によって洗浄液タンク６から洗浄液が洗浄液混合部１０に搬送され、この洗浄液混合部１０から洗浄液が給水経路Ｌ１を流れる温水に注入されて洗浄水となって洗浄ノズルより噴出される。
【０００８】
ところで、このように洗剤洗浄及び局部すすぎが可能な局部洗浄装置にあっては、使用者が洗剤洗浄にて局部を洗浄した後に通常は局部すすぎを行うのであるが、洗剤洗浄を行った後に局部すすぎを行うのを忘れることが多く、洗剤洗浄による洗剤が局部に付着したままとなって局部に不快感を感じたりするものであった。
【０００９】
【発明が解決しようとする課題】
本発明はこのような点に鑑みてなされたものであり、その目的とするところは、洗剤洗浄を行った後で局部すすぎを忘れずに行うことができる局部洗浄装置を提供することを課題とするものである。
【００１０】
【課題を解決するための手段】
上記課題を解決するために本発明に係る局部洗浄装置は、洗剤等の洗浄液を保存するための洗浄液保持部６と、給水口から局部へ洗浄水を噴出するための洗浄ノズル５へ至る給水経路Ｌ１の途中に配設されて前記洗浄液保持部６から洗浄液を注入する洗浄液混合部１０とを有し、洗浄水のみで局部のすすぎを行う局部すすぎ及び、洗浄水と洗浄液とを洗浄液混合部で混合して生成した洗剤洗浄水で行う洗剤洗浄が可能な局部洗浄装置において、洗剤洗浄を行っている間に局部すすぎを行うように促す報知手段を備えて成ることを特徴とするものである。このような構成とすることで、洗剤洗浄中に報知手段により局部すすぎを促す警報音が発せられて、洗剤洗浄後に局部すすぎを行うのを忘れないようにすることができる。
【００１１】
また、本発明に係る局部洗浄装置は、洗剤等の洗浄液を保存するための洗浄液保持部６と、給水口から局部へ洗浄水を噴出するための洗浄ノズル５へ至る給水経路Ｌ１の途中に配設されて前記洗浄液保持部６から洗浄液を注入する洗浄液混合部１０とを有し、洗浄水のみで局部のすすぎを行う局部すすぎ及び、洗浄水と洗浄液とを洗浄液混合部で混合して生成した洗剤洗浄水で行う洗剤洗浄が可能な局部洗浄装置において、洗剤洗浄をした際に、該洗剤洗浄を停止すると共に局部すすぎに移行しなかった場合に局部すすぎを促す報知手段を備えて成ることを特徴とするものである。このような構成とすることで、洗剤洗浄を停止した時に報知手段により局部すすぎを促す警報音が発せられて、洗剤洗浄後に局部すすぎを行うのを忘れないようにすることができる。
【００１２】
また、本発明に係る局部洗浄装置は、洗剤等の洗浄液を保存するための洗浄液保持部６と、給水口から局部へ洗浄水を噴出するための洗浄ノズル５へ至る給水経路Ｌ１の途中に配設されて前記洗浄液保持部６から洗浄液を注入する洗浄液混合部１０とを有し、洗浄水のみで局部のすすぎを行う局部すすぎ及び、洗浄水と洗浄液とを洗浄液混合部で混合して生成した洗剤洗浄水で行う洗剤洗浄が可能な局部洗浄装置において、洗剤洗浄をした際に、該洗剤洗浄後を停止すると共に局部すすぎ以外の動作に移行した場合に局部すすぎを促す報知手段を備えて成ることを特徴とするものである。このような構成とすることで、洗剤洗浄中に他の動作に移行しようとした時に報知手段により局部すすぎを促す警報音が発せられて、洗剤洗浄後に局部すすぎを行うのを忘れないようにすることができる。
【００１３】
また、本発明に係る局部洗浄装置は、洗剤等の洗浄液を保存するための洗浄液保持部６と、給水口から局部へ洗浄水を噴出するための洗浄ノズル５へ至る給水経路Ｌ１の途中に配設されて前記洗浄液保持部６から洗浄液を注入する洗浄液混合部１０とを有し、便座に着座センサーＳ１を設け、洗浄水のみで局部のすすぎを行う局部すすぎ及び、洗浄水と洗浄液とを洗浄液混合部で混合して生成した洗剤洗浄水で行う洗剤洗浄が可能な局部洗浄装置において、洗剤洗浄をした際に、該洗剤洗浄を停止すると共に、局部すすぎに移行せず且つ着座センサーにより着座者の離座を検知した場合に局部すすぎを促す報知手段を備えて成ることを特徴とするものである。このような構成とすることで、洗剤洗浄を停止して使用者が便座から離座した時に報知手段により局部すすぎを促す警報音が発せられて、洗剤洗浄後に局部すすぎを行うのを忘れないようにすることができ、更に、一定時間経過すると自動的に報知手段が停止して警報音が鳴り止むものである。
【００１４】
また、本発明に係る局部洗浄装置は、洗剤等の洗浄液を保存するための洗浄液保持部６と、給水口から局部へ洗浄水を噴出するための洗浄ノズル５へ至る給水経路Ｌ１の途中に配設されて前記洗浄液保持部６から洗浄液を注入する洗浄液混合部１０とを有し、洗浄水のみで局部のすすぎを行う局部すすぎ及び、洗浄水と洗浄液とを洗浄液混合部で混合して生成した洗剤洗浄水で行う洗剤洗浄が可能な局部洗浄装置において、洗剤洗浄をした際に、該洗剤洗浄を停止した後一定時間を過ぎても局部すすぎが行われなかった時に局部すすぎを促す報知手段を備えて成ることを特徴とするものである。このような構成とすることで、洗剤洗浄を停止して一定時間経過した後に報知手段により局部すすぎを促す警報音が発せられて、洗剤洗浄後に局部すすぎを行うのを忘れないようにすることができる。
【００１５】
また、洗剤洗浄をした後に局部すすぎを行った際、局部すすぎが一定時間行われる前に停止されると更なる局部すすぎを促す報知手段を備えることが好ましい。このような構成とすることで、洗剤洗浄後に局部すすぎを一定時間行わなかった場合に報知手段により更なる局部すすぎを促す警報音が発せられるため、洗剤洗浄後に局部すすぎを一定時間以上忘れずに行うことができる。
【００１６】
【発明の実施の形態】
以下、本発明を添付図面に示す実施形態に基づいて説明する。局部洗浄装置としての基本的構成は、図１６に示すように、局部洗浄機構を有する局部洗浄装置本体Ａと、使用者が洗浄方法等を選択操作するための操作部Ｂと、操作部からの信号に応じて便座温度や洗浄水温度や洗浄流量等を制御するための制御部（図示せず）と、使用者が座るための便座Ｃとで構成される。温水タンクと洗浄ノズルとを備えた局部洗浄装置本体Ａは、操作部Ｂからの指示に基づいて、温水タンク内の温水を洗浄ノズルから局部に向けて噴射して局部の洗浄を行う。図１に示すように、水道等の水源１と洗浄ノズル５とをつなぐ給水経路Ｌ１中に、給水加熱用のヒータを備えた温水タンク３と水ポンプ４と洗浄液混合部１０とをこの順に挿入してある。また、温水タンク３と水源１との間には給水経路Ｌ１を開閉する給水弁２を配置してある。
【００１７】
水ポンプ４は、制御部から入力した制御信号に応じて洗浄流量を変更し、一定に保つ。洗浄流量の変更は、水ポンプ４を制御する代わりに制御部からの信号に応じて流路の断面積を変化させる流路断面積変更手段、たとえば電磁流量弁などで行ってもよい。なお、上記水ポンプ４は必須ではなく、洗浄操作キーの操作によって電磁弁式の給水弁２を開弁した時、洗浄水が給水圧で直接送り出されるようにしていてもよい。また、温水タンク３を使用せずに、セラミックまたはシーズ型のヒータで給水を直接加熱して洗浄ノズル５に供給するようにしたものであってもよい。
【００１８】
また、洗浄液供給部は、洗浄液保持部としての洗浄液タンク６と上記洗浄液混合部１０とをつなぐ洗浄液経路Ｌ２中に逆流防止弁８と洗浄液供給手段７とを挿入したものとして構成してある。洗浄液供給経路Ｌ２は、例えば、ゴムホース等で構成され、洗浄液タンク６の底面近くまで延長されている。洗浄液タンク６は透明あるいは半透明の樹脂にて形成されたものが好ましい。洗浄液の残量を目視にて確認することができるからである。洗浄液残量が少なくなった場合は、使用者が洗浄液タンク６を取り外し、洗浄液を補充して再び装着する。
【００１９】
洗浄液供給手段７としては、ギアポンプやダイヤフラム式ポンプを好適に用いることができる。逆流防止弁８としては、直動式やダイヤフラム式の電磁弁、あるいは、ダックビルバルブを用いることができる。この逆流防止弁８は、洗浄液供給経路Ｌ２から取り外し可能にしたものが好ましい。万が一、固着等が発生した際に取り外して固着を取り除くことができるからである。
【００２０】
そして、ここでは給水経路Ｌ１における洗浄液混合部１０と洗浄ノズル５との間から分岐して、洗浄液供給経路Ｌ２中の洗浄液供給手段７と逆流防止弁８との間に接続されるすすぎ経路Ｌ３を設けているとともに、該すすぎ経路Ｌ３中にすすぎ経路Ｌ３を開閉するすすぎ弁１１を設けている。すすぎ弁１１としては、例えば、ノーマルクローズの電磁弁を用いることができる。この場合、すすぎモードを実行する時だけすすぎ弁１１に通電すれば良いため、コイルの発熱等を防ぐことができる。
【００２１】
ここで、局部洗浄装置の基本的な動作について説明する。
【００２２】
まず、温水のみによって局部を洗浄する場合には、使用者は操作部Ｂの局部すすぎスイッチ等を操作して制御部に「局部すすぎ開始」信号を入力する。この時、給水弁２が開くと共に水ポンプ４が作動するが、洗浄液供給手段７は作動せずすすぎ弁１１も閉じたままである。すると、温水タンク３に貯えられた温水が給水経路Ｌ１を介してそのまま人体局部に噴出される。これが局部すすぎ動作であり、この時の水の流れを図２に示す。
【００２３】
次に、洗浄液が混合された洗浄水にて局部を洗浄する場合には、使用者は操作部Ｂの洗剤洗浄スイッチ等を操作して制御部に「洗剤洗浄開始」信号を入力する。この時、給水弁２が開くと共に水ポンプ４が作動して更に洗浄液供給手段７が作動し、すすぎ弁１１は閉じたままである。すると、温水タンク３に貯えられた温水は給水経路Ｌ１を通って洗浄ノズル５に向かうと共に、洗浄液供給手段７によって洗浄液タンク６から洗浄液が洗浄液混合部１０に搬送され、この洗浄液混合部１０から洗浄液が給水経路Ｌ１を流れる温水に注入されて洗浄水となって洗浄ノズルより噴出される。これが洗剤洗浄動作であり、この時の水の流れを図３に示す。
【００２４】
このような局部洗浄装置にあっては、使用者が洗剤洗浄にて局部を洗浄した後に局部すすぎを行うのであるが、洗剤洗浄を行った後に局部すすぎを行うのを忘れることが多く、この場合、洗剤洗浄による洗剤が局部に付着したままとなって局部に不快感を感じたりしてしまう。そこで、本実施形態では、洗剤洗浄を行った後に局部すすぎを行うのを忘れないようにするため、局部すすぎを促す報知手段を備えるものである。
【００２５】
報知手段は、制御部に設けられるもので、本実施形態ではブザー等の警報音で報知するものである。この報知手段は、所定の動作が行われた時、又は行われなかった時に作動するもので、この報知手段の動作パターンについて以下に説明する。
【００２６】
報知手段の動作パターンの一例について、図４に示すフローチャートに基づいて説明する。本例は、報知手段は洗剤洗浄を行っている間に局部すすぎを促す報知を行うものである。詳述すると、まず、使用者が便座に着座して用をたし、局部を洗剤洗浄するため使用者は操作部Ｂの洗剤洗浄スイッチ等を操作して「洗剤洗浄開始」信号を制御部に入力する。これにより、洗剤洗浄動作が行われると共に、報知手段が作動して局部すすぎを促すブザー等の警報音が発せられる。この警報音は、「局部すすぎ開始」信号が制御部に入力されるまで継続し、「局部すすぎ開始」信号が入力されると局部すすぎ動作が開始されると共に、報知手段が停止して上記警報音は鳴り止むものである。
【００２７】
なお、局部すすぎ動作は、洗剤洗浄中に操作部Ｂの洗剤洗浄スイッチを再度操作するか洗剤洗浄停止スイッチを操作したりすることで「洗剤洗浄停止」信号を入力して洗剤洗浄動作が停止した後、局部すすぎスイッチを操作することで「局部すすぎ開始」信号を入力して局部すすぎ動作が開始されたり、あるいは、洗剤洗浄動作中に局部すすぎスイッチを操作することで「洗剤洗浄停止」信号及び「局部すすぎ開始」信号を入力し、洗剤洗浄動作が停止すると共に局部すすぎ動作が開始されるものであり、以下の例においても同じである。
【００２８】
このようにすることで、洗剤洗浄中に報知手段により局部すすぎを促す警報音が発せられて、洗剤洗浄後に局部すすぎを行うのを忘れないようにすることができる。
【００２９】
次に、報知手段の動作パターンの他例について、図５に示すフローチャートに基づいて説明する。本例は、報知手段は洗剤洗浄が停止された時点で局部すすぎを促す報知を行うものである。詳述すると、まず、使用者が便座に着座して用をたし、局部を洗剤洗浄するため「洗剤洗浄開始」信号を制御部に入力して洗剤洗浄動作が行われる。そして、洗剤洗浄中に「洗剤洗浄停止」信号を入力して洗剤洗浄を停止した時、報知手段が作動して局部すすぎを促すブザー等の警報音が発せられる。この警報音は、「局部すすぎ開始」信号が入力されるまで継続し、「局部すすぎ開始」信号が入力されると局部すすぎ動作が開始されると共に、報知手段が停止して上記警報音は鳴り止むものである。
【００３０】
このようにすることで、洗剤洗浄を停止した時に報知手段により局部すすぎを促す警報音が発せられて、洗剤洗浄後に局部すすぎを行うのを忘れないようにすることができる。
【００３１】
次に、報知手段の動作パターンの更に他例について、図６に示すフローチャートに基づいて説明する。本例は、報知手段は洗剤洗浄中に「洗剤洗浄停止」信号及び「局部すすぎ開始」信号以外が入力された時点で局部すすぎを促す報知を行うものである。詳述すると、まず、使用者が便座に着座して用をたし、局部を洗剤洗浄するため「洗剤洗浄開始」信号を制御部に入力して洗剤洗浄動作が行われる。そして、洗剤洗浄中に「ビデ洗浄」信号や「乾燥」信号や「脱臭」信号等の「洗剤洗浄停止」信号及び「局部すすぎ開始」信号以外の入力がなされた時に、報知手段が作動して局部すすぎを促すブザー等の警報音が発せられる。この警報音は、「局部すすぎ開始」信号が入力されるまで継続し、「局部すすぎ開始」信号が入力されると局部すすぎ動作が開始されると共に、報知手段が停止して上記警報音は鳴り止むものである。
【００３２】
このようにすることで、洗剤洗浄中に他の動作に移行しようとした時に報知手段により局部すすぎを促す警報音が発せられて、洗剤洗浄後に局部すすぎを行うのを忘れないようにすることができる。
【００３３】
次に、報知手段の動作パターンの更に他例について、図７に示すフローチャートに基づいて説明する。本例は、制御部に報知手段の作動開始時に作動開始する報知タイマーを制御部に設けておくもので、報知手段は洗剤洗浄を開始した時点で局部すすぎを促す報知を行い、所定時間が経過して報知タイマーがカウントアップした時点で報知手段による報知を停止するものである。詳述すると、まず、使用者が便座に着座して用をたし、局部を洗剤洗浄するため「洗剤洗浄開始」信号を制御部に入力することで洗剤洗浄動作が行われると共に、報知手段が作動して局部すすぎを促すブザー等の警報音が発せられ且つ、報知タイマーが作動開始する。この警報音は報知タイマーがカウントアップするまで継続し、報知タイマーがカウントアップすると報知手段が停止して上記警報音は鳴り止むものである。
【００３４】
このようにすることで、洗剤洗浄が開始された時に報知手段により局部すすぎを促す警報音が発せられて、洗剤洗浄後に局部すすぎを行うのを忘れないようにすることができ、更に、一定時間経過すると自動的に報知手段が停止して警報音が鳴り止むものである。
【００３５】
次に、報知手段の動作パターンの更に他例について、図８に示すフローチャートに基づいて説明する。本例は、制御部に報知手段の作動開始時に作動開始する報知タイマーを制御部に設けておくもので、報知手段は洗剤洗浄が停止された時点で局部すすぎを促す報知を行い、所定時間が経過して報知タイマーがカウントアップした時点で報知手段による報知を停止するものである。詳述すると、まず、使用者が便座に着座して用をたし、局部を洗剤洗浄するため「洗剤洗浄開始」信号を制御部に入力して洗剤洗浄動作が行われる。そして、洗剤洗浄中に「洗剤洗浄停止」信号を入力して洗剤洗浄を停止した時、報知手段が作動して局部すすぎを促すブザー等の警報音が発せられ且つ、報知タイマーが作動開始する。この警報音は報知タイマーがカウントアップするまで継続し、報知タイマーがカウントアップすると報知手段が停止して上記警報音は鳴り止むものである。
【００３６】
このようにすることで、洗剤洗浄を停止した時に報知手段により局部すすぎを促す警報音が発せられて、洗剤洗浄後に局部すすぎを行うのを忘れないようにすることができ、更に、一定時間経過すると自動的に報知手段が停止して警報音が鳴り止むものである。
【００３７】
次に、報知手段の動作パターンの更に他例について、図９に示すフローチャートに基づいて説明する。本例は、制御部に報知手段の作動開始時に作動開始する報知タイマーを制御部に設けておくもので、報知手段は洗剤洗浄中に「洗剤洗浄停止」信号や「局部すすぎ開始」信号以外が入力された時点で局部すすぎを促す報知を行い、所定時間が経過して報知タイマーがカウントアップした時点で報知手段による報知を停止するものである。詳述すると、まず、使用者が便座に着座して用をたし、局部を洗剤洗浄するため「洗剤洗浄開始」信号を制御部に入力して洗剤洗浄動作が行われる。そして、洗剤洗浄中に「ビデ洗浄」信号や「乾燥」信号や「脱臭」信号等の「洗剤洗浄停止」信号及び「局部すすぎ開始」信号以外の入力がなされた時に、報知手段が作動して局部すすぎを促すブザー等の警報音が発せられ且つ、報知タイマーが作動開始する。この警報音はこの警報音は報知タイマーがカウントアップするまで継続し、報知タイマーがカウントアップすると報知手段が停止して上記警報音は鳴り止むものである。
【００３８】
このようにすることで、洗剤洗浄中に他の動作に移行しようとした時に報知手段により局部すすぎを促す警報音が発せられて、洗剤洗浄後に局部すすぎを行うのを忘れないようにすることができ、更に、一定時間経過すると自動的に報知手段が停止して警報音が鳴り止むものである。
【００３９】
次に、報知手段の動作パターンの更に他例について、図１０に示すフローチャートに基づいて説明する。本例は、便座に着座センサーを設けておくもので、報知手段は洗剤洗浄が停止された状態で、局部すすぎに移行せず且つ使用者の便座からの離座を感知した時点で局部すすぎを促す報知を行うものである。詳述すると、まず、使用者が便座に着座して用をたし、局部を洗剤洗浄するため「洗剤洗浄開始」信号を制御部に入力して洗剤洗浄動作が行われる。そして、洗剤洗浄中に「洗剤洗浄停止」信号を入力して洗剤洗浄を停止し、局部すすぎを行わずに便座から立ち上がって着座センサーが離座を感知した時点で報知手段が作動して局部すすぎを促すブザー等の警報音が発せられる。この警報音は、「局部すすぎ開始」信号が入力されるまで継続し、「局部すすぎ開始」信号が入力されると局部すすぎ動作が開始されると共に、報知手段が停止して上記警報音は鳴り止むものである。
【００４０】
このようにすることで、洗剤洗浄を停止して使用者が便座から離座した時に報知手段により局部すすぎを促す警報音が発せられて、洗剤洗浄後に局部すすぎを行うのを忘れないようにすることができ、更に、一定時間経過すると自動的に報知手段が停止して警報音が鳴り止むものである。
【００４１】
次に、報知手段の動作パターンの更に他例について、図１１に示すフローチャートに基づいて説明する。本例は、便座に着座センサーを設けると共に制御部に報知手段の作動開始時に作動開始する報知タイマーを制御部に設けておくもので、報知手段は洗剤洗浄が停止された状態で、使用者の便座からの離座を感知した時点で局部すすぎを促す報知を行い、所定時間が経過して報知タイマーがカウントアップした時点で報知手段による報知を停止するものである。詳述すると、まず、使用者が便座に着座して用をたし、局部を洗剤洗浄するため「洗剤洗浄開始」信号を制御部に入力して洗剤洗浄動作が行われる。そして、洗剤洗浄中に「洗剤洗浄停止」信号を入力して洗剤洗浄を停止し、局部すすぎを行わずに便座から立ち上がって着座センサーが離座を感知した時点で報知手段が作動して局部すすぎを促すブザー等の警報音が発せられ且つ、報知タイマーが作動開始する。この警報音はこの警報音は報知タイマーがカウントアップするまで継続し、報知タイマーがカウントアップすると報知手段が停止して上記警報音は鳴り止むものである。
【００４２】
このようにすることで、洗剤洗浄を停止して使用者が便座から離座した時に報知手段により局部すすぎを促す警報音が発せられて、洗剤洗浄後に局部すすぎを行うのを忘れないようにすることができ、更に、一定時間経過すると自動的に報知手段が停止して警報音が鳴り止むものである。
【００４３】
次に、報知手段の動作パターンの更に他例について、図１２に示すフローチャートに基づいて説明する。本例は、制御部に「洗剤洗浄停止」信号が入力された時に作動開始する報知待機タイマーを制御部に設けておくもので、洗剤洗浄を停止した後一定時間を過ぎても局部すすぎが行われなかった時に局部すすぎを促す報知を行うものである。詳述すると、まず、使用者が便座に着座して用をたし、局部を洗剤洗浄するため「洗剤洗浄開始」信号を制御部に入力して洗剤洗浄動作が行われる。そして、洗剤洗浄中に「洗剤洗浄停止」信号を入力して洗剤洗浄を停止した時に報知待機タイマーが作動開始する。そして更に、報知待機タイマーがカウントアップすると報知手段が作動して警報音を発するのであるが、報知待機タイマーがカウントアップする前に「局部すすぎ開始」信号が入力されると、局部すすぎ動作が行われると共に報知待機タイマーが停止し、それ以後は報知手段が作動して警報音を発することはないものである。
【００４４】
このようにすることで、洗剤洗浄を停止して一定時間経過した後に報知手段により局部すすぎを促す警報音が発せられて、洗剤洗浄後に局部すすぎを行うのを忘れないようにすることができる。
【００４５】
次に、報知手段の動作パターンの更に他例について、図１３に示すフローチャートに基づいて説明する。本例は、制御部に洗剤洗浄中に「洗剤洗浄停止」信号や「局部すすぎ開始」信号以外が入力された時に作動開始する報知待機タイマーを制御部に設けておくもので、洗剤洗浄中に「洗剤洗浄停止」信号や「局部すすぎ開始」信号以外が入力された時点で報知待機タイマーを作動開始し、所定時間が経過して報知待機タイマーがカウントアップした時点で報知手段による報知を行うものである。詳述すると、まず、使用者が便座に着座して用をたし、局部を洗剤洗浄するため「洗剤洗浄開始」信号を制御部に入力して洗剤洗浄動作が行われる。そして、洗剤洗浄中に「ビデ洗浄」信号や「乾燥」信号や「脱臭」信号等の「洗剤洗浄停止」信号及び「局部すすぎ開始」信号以外の入力がなされた時に報知待機タイマーが作動開始する。そして更に、報知待機タイマーがカウントアップすると報知手段が作動して警報音を発するのであるが、報知待機タイマーがカウントアップする前に「局部すすぎ開始」信号が入力されると、局部すすぎ動作が行われると共に報知待機タイマーが停止し、それ以後は報知手段が作動して警報音を発することはないものである。
【００４６】
このようにすることで、洗剤洗浄中に他の動作に移行しようとして一定時間経過した後に報知手段により局部すすぎを促す警報音が発せられて、洗剤洗浄後に局部すすぎを行うのを忘れないようにすることができる。
【００４７】
次に、報知手段の動作パターンの更に他例について、図１４に示すフローチャートに基づいて説明する。本例は、制御部に「洗剤洗浄停止」信号が入力された時に作動開始する報知待機タイマーを制御部に設けると共に便座に着座センサーを設けておくもので、報知手段は洗剤洗浄が停止された状態で使用者の便座からの離座を感知した時点で報知待機タイマーを作動開始し、所定時間が経過して報知待機タイマーがカウントアップした時点で報知手段による報知を行うものである。詳述すると、まず、使用者が便座に着座して用をたし、局部を洗剤洗浄するため「洗剤洗浄開始」信号を制御部に入力して洗剤洗浄動作が行われる。そして、洗剤洗浄中に「洗剤洗浄停止」信号を入力して洗剤洗浄を停止し、局部すすぎを行わずに便座から立ち上がって着座センサーが離座を感知した時点で報知待機タイマーが作動開始する。そして更に、報知待機タイマーがカウントアップすると報知手段が作動して警報音を発するのであるが、報知待機タイマーがカウントアップする前に「局部すすぎ開始」信号が入力されると、局部すすぎ動作が行われると共に報知待機タイマーが停止し、それ以後は報知手段が作動して警報音を発することはないものである。
【００４８】
このようにすることで、洗剤洗浄を停止して使用者が便座から離座して一定時間経過した後に報知手段により局部すすぎを促す警報音が発せられて、洗剤洗浄後に局部すすぎを行うのを忘れないようにすることができる。
【００４９】
次に、他の実施形態について図１５に示すフローチャートに基づいて説明する。本実施形態においては、報知手段は更なる局部すすぎを促す報知を行うものであり、また、制御部に局部すすぎ動作の開始時に作動開始する局部すすぎタイマーを設けておき、洗剤洗浄をした後に局部すすぎを行った際、局部すすぎが一定時間行われる前に停止されると更なる局部すすぎを促す報知手段を設けたものである。詳述すると、まず、使用者が便座に着座して用をたし、局部を洗剤洗浄するため「洗剤洗浄開始」信号を制御部に入力して洗剤洗浄動作が行われる。そして、洗剤洗浄中に「洗剤洗浄停止」信号及び「局部すすぎ開始」信号を入力するか「局部すすぎ」信号を入力することで、洗剤洗浄が停止して局部すすぎが開始される。そしてこの時、局部すすぎタイマーが作動開始し、この局部すすぎタイマーがカウントアップすると終了して以後警報手段が作動して警報音を発することはないのであるが、局部すすぎタイマーがカウントアップする前に「局部すすぎ停止」信号が入力されると、報知手段により更なる局部すすぎを促す警報音が発せられるものである。
【００５０】
このようにすることで、洗剤洗浄後に局部すすぎを一定時間行わなかった場合に報知手段により更なる局部すすぎを促す警報音が発せられるため、洗剤洗浄後に局部すすぎを一定時間以上忘れずに行うことができる。
【００５１】
【発明の効果】
上記のように本発明の請求項１記載の発明にあっては、洗剤等の洗浄液を保存するための洗浄液保持部と、給水口から局部へ洗浄水を噴出するための洗浄ノズルへ至る給水経路の途中に配設されて前記洗浄液保持部から洗浄液を注入する洗浄液混合部とを有し、洗浄水のみで局部のすすぎを行う局部すすぎ及び、洗浄水と洗浄液とを洗浄液混合部で混合して生成した洗剤洗浄水で行う洗剤洗浄が可能な局部洗浄装置において、洗剤洗浄を行っている間に局部すすぎを行うように促す報知手段を備えたので、洗剤洗浄中に報知手段により局部すすぎを促す警報音が発せられて、洗剤洗浄後に局部すすぎを行うのを忘れないようにすることができる。
【００５２】
また請求項２記載の発明にあっては、洗剤等の洗浄液を保存するための洗浄液保持部と、給水口から局部へ洗浄水を噴出するための洗浄ノズルへ至る給水経路の途中に配設されて前記洗浄液保持部から洗浄液を注入する洗浄液混合部とを有し、洗浄水のみで局部のすすぎを行う局部すすぎ及び、洗浄水と洗浄液とを洗浄液混合部で混合して生成した洗剤洗浄水で行う洗剤洗浄が可能な局部洗浄装置において、洗剤洗浄をした際に、該洗剤洗浄を停止すると共に局部すすぎに移行しなかった場合に局部すすぎを促す報知手段を備えたので、洗剤洗浄を停止した時に報知手段により局部すすぎを促す警報音が発せられて、洗剤洗浄後に局部すすぎを行うのを忘れないようにすることができる。
【００５３】
また請求項３記載の発明にあっては、洗剤等の洗浄液を保存するための洗浄液保持部と、給水口から局部へ洗浄水を噴出するための洗浄ノズルへ至る給水経路の途中に配設されて前記洗浄液保持部から洗浄液を注入する洗浄液混合部とを有し、洗浄水のみで局部のすすぎを行う局部すすぎ及び、洗浄水と洗浄液とを洗浄液混合部で混合して生成した洗剤洗浄水で行う洗剤洗浄が可能な局部洗浄装置において、洗剤洗浄をした際に、該洗剤洗浄後を停止すると共に局部すすぎ以外の動作に移行した場合に局部すすぎを促す報知手段を備えたので、洗剤洗浄中に他の動作に移行しようとした時に報知手段により局部すすぎを促す警報音が発せられて、洗剤洗浄後に局部すすぎを行うのを忘れないようにすることができる。
【００５４】
また請求項４記載の発明にあっては、洗剤等の洗浄液を保存するための洗浄液保持部と、給水口から局部へ洗浄水を噴出するための洗浄ノズルへ至る給水経路の途中に配設されて前記洗浄液保持部から洗浄液を注入する洗浄液混合部とを有し、便座に着座センサーを設け、洗浄水のみで局部のすすぎを行う局部すすぎ及び、洗浄水と洗浄液とを洗浄液混合部で混合して生成した洗剤洗浄水で行う洗剤洗浄が可能な局部洗浄装置において、洗剤洗浄をした際に、該洗剤洗浄を停止すると共に、局部すすぎに移行せず且つ着座センサーにより着座者の離座を検知した場合に局部すすぎを促す報知手段を備えたので、洗剤洗浄を停止して使用者が便座から離座した時に報知手段により局部すすぎを促す警報音が発せられて、洗剤洗浄後に局部すすぎを行うのを忘れないようにすることができ、更に、一定時間経過すると自動的に報知手段が停止して警報音が鳴り止むものである。
【００５５】
また請求項５記載の発明にあっては、洗剤等の洗浄液を保存するための洗浄液保持部と、給水口から局部へ洗浄水を噴出するための洗浄ノズルへ至る給水経路の途中に配設されて前記洗浄液保持部から洗浄液を注入する洗浄液混合部とを有し、洗浄水のみで局部のすすぎを行う局部すすぎ及び、洗浄水と洗浄液とを洗浄液混合部で混合して生成した洗剤洗浄水で行う洗剤洗浄が可能な局部洗浄装置において、洗剤洗浄をした際に、該洗剤洗浄を停止した後一定時間を過ぎても局部すすぎが行われなかった時に局部すすぎを促す報知手段を備えたので、洗剤洗浄を停止して一定時間経過した後に報知手段により局部すすぎを促す警報音が発せられて、洗剤洗浄後に局部すすぎを行うのを忘れないようにすることができる。
【００５６】
また請求項６記載の発明にあっては、上記請求項１乃至５のいずれかに記載の効果に加えて、洗剤洗浄をした後に局部すすぎを行った際、局部すすぎが一定時間行われる前に停止されると更なる局部すすぎを促す報知手段を備えたので、洗剤洗浄後に局部すすぎを一定時間行わなかった場合に報知手段により更なる局部すすぎを促す警報音が発せられるため、洗剤洗浄後に局部すすぎを一定時間以上忘れずに行うことができる。
【図面の簡単な説明】
【図１】本発明の一実施形態を示す構成図である。
【図２】同上において局部すすぎ動作時の流れを示す図である。
【図３】同上において洗剤洗浄動作時の流れを示す図である。
【図４】報知パターンの一例のフローチャートである。
【図５】報知パターンの他例のフローチャートである。
【図６】報知パターンの更に他例のフローチャートである。
【図７】報知パターンの更に他例のフローチャートである。
【図８】報知パターンの更に他例のフローチャートである。
【図９】報知パターンの更に他例のフローチャートである。
【図１０】報知パターンの更に他例のフローチャートである。
【図１１】報知パターンの更に他例のフローチャートである。
【図１２】報知パターンの更に他例のフローチャートである。
【図１３】報知パターンの更に他例のフローチャートである。
【図１４】報知パターンの更に他例のフローチャートである。
【図１５】報知パターンの他の実施形態のフローチャートである。
【図１６】局部洗浄装置を設けた便器の全体図である。
【符号の説明】
５　洗浄ノズル
６　洗浄液保持部
１０　洗浄液混合部
Ｌ１　給水経路
【図１】
2004084303.tif 000003
【図２】
2004084303.tif 000004
【図３】
2004084303.tif 000005
【図４】
2004084303.tif 000006
【図５】
2004084303.tif 000007
【図６】
2004084303.tif 000008
【図７】
2004084303.tif 000009
【図８】
2004084303.tif 000010
【図９】
2004084303.tif 000011
【図１０】
2004084303.tif 000012
【図１１】
2004084303.tif 000013
【図１２】
2004084303.tif 000014
【図１３】
2004084303.tif 000015
【図１４】
2004084303.tif 000016
【図１５】
2004084303.tif 000017
【図１６】
2004084303.tif 000018